(57)【要約】【課題】視覚を通じて需要者に強い印象を与えることができ、広告宣伝機能や品質表示機能等を向上させることができるおむつ包装体を提供する。【解決手段】おむつ包装体１０は、複数個の使い捨ておむつ１１と、頂底壁１３，１４と表示要素２１，２２が印刷された前後壁１５，１６および両側壁１７，１８とを形成する可撓性フィルム１２とから構成されている。包装体１０では、それらおむつ１１の集団が両側壁１７，１８間に延びる列４０を形成し、おむつ１１の股下端部３２が後壁１６と向かい合い、おむつ１１の胴周り端部３３，３４が前壁１５と向かい合っている。この包装体１０は、角部１９の曲率半径が角部２０の曲率半径よりも大きく、前壁１５の側から見た包装体１０の視認可能範囲が後壁１６の側から見た包装体１０の視認可能範囲よりも大きい。【選択図】図１
2005178827.tif 000002
【特許請求の範囲】
【請求項１】
透液性表面シートおよび不透液性裏面シートの間にそれらシートよりも高剛性の吸液性コアが介在する使い捨ておむつと、複数個の前記おむつを包被する可撓性フィルムとから構成され、前記おむつが、互いに対向する第１および第２胴周り部と、それら胴周り部をつなぐ股下端部と、前記股下端部の反対側に位置して前記第１および第２胴周り部に連なる胴周り端部とを有し、前記コアが、前記胴周り端部を除く前記第１および第２胴周り部と前記股下端部とに配置され、前記フィルムが、上下方向へ離間対向する頂底壁と、互いに対向して前記頂底壁間に延びる第１および第２壁と、互いに対向して前記頂底壁間に延びる両側壁とを形成し、それら壁に囲繞された内部に前記股下端部で折り曲げられたおむつの複数個が稠密に収納されたおむつ包装体において、
複数個の前記おむつの集団が、それらおむつの胴周り部どうしを重ね合わせた状態で前記両側壁間に並ぶとともに、前記両側壁間に延びる列を形成し、それらおむつの股下端部が、前記両側壁間に一列に並んで前記第２壁と向かい合い、それらおむつの胴周り端部が、前記両側壁間に一列に並んで前記第１壁と向かい合い、前記第１壁と前記両側壁とが交差する角部の曲率半径が、前記第２壁と前記両側壁とが交差する角部の曲率半径よりも大きく、前記第１壁の側から見たときの前記包装体の視認可能範囲が、前記第２壁の側から見たときの前記包装体の視認可能範囲よりも大きいことを特徴とする前記おむつ包装体。
【請求項２】
所定の表示要素が、それら壁のうちの少なくとも前記第１壁と前記両側壁との外面に印刷されている請求項１記載のおむつ包装体。
【請求項３】
前記包装体では、少なくとも２つの前記列が互いに重なり合った状態で上下方向に並び、重なり合うそれら列では、前記おむつの股下端部が前記両側壁間に一列に並んで前記第２壁と向かい合い、前記おむつの胴周り端部が前記両側壁間に一列に並んで前記第１壁と向かい合っている請求項１または請求項２に記載のおむつ包装体。
【請求項４】
前記第１壁と前記両側壁とが交差する角部の曲率半径が、２５〜５００ｍｍの範囲にあり、前記第２壁と前記両側壁とが交差する角部の曲率半径が、５〜５０ｍｍの範囲にある請求項１ないし請求項３いずれかに記載のおむつ包装体。
【請求項５】
前記おむつの第１および第２胴周り部と股下端部との厚み寸法が、前記胴周り端部の厚み寸法よりも大きく、前記おむつの第１および第２胴周り部と股下端部との剛性が、前記胴周り端部の剛性よりも高い請求項１ないし請求項４いずれかに記載のおむつ包装体。
【請求項６】
前記包装体では、前記おむつを収納する以前の前記フィルムの形状が円筒型を呈し、前記フィルムの円筒周壁に囲繞された空間に前記おむつを収納すると、前記フィルムの形状が変化して円筒周壁が前記第１および第２壁と前記両側壁とを形成する請求項１ないし請求項５いずれかに記載のおむつ包装体。
【発明の詳細な説明】
【技術分野】
【０００１】
本発明は、使い捨ておむつと複数個のおむつを包被する可撓性フィルムとから構成されたおむつ包装体に関する。
【背景技術】
【０００２】
透液性表面シートおよび不透液性裏面シートの間に吸液性コアが介在する使い捨ておむつと、複数個のおむつを包被する可撓性フィルムとから構成され、フィルムが上下方向へ離間対向する頂底壁と頂底壁間に延びる前後壁および両側壁とを形成し、それら壁に囲繞された内部にそれらおむつが稠密に収納されたおむつ包装体がある（特許文献１参照）。おむつは、互いに対向する前後胴周り部と、それら胴周り部をつなぐ股下端部と、股下端部の反対側に位置してそれら胴周り部に連なる胴周り前後端部とを有する。おむつは、股下端部で折り曲げられ、前後胴周り部どうしが重なり合うとともに、胴周り前後端部どうしが重なり合っている。
【０００３】
この包装体は、頂底壁と前後壁と両側壁とが略直角に交差する六面体であり、その立体形状が上下方向へ長い直方体を呈する。このおむつ包装体では、それらおむつの胴周り部どうしが互いに重なり合って並ぶことで両側壁間に延びる第１列と第２列とを形成している。それら列は、互いに重なり合った状態で上下方向に並んでいる。この包装体では、第１列のおむつの股下端部が両側壁間に一列に並んで頂壁と向かい合い、第２列のおむつの股下端部が両側壁間に一列に並んで底壁と向かい合うとともに、それら列のおむつの胴周り前後端部どうしが互いに当接した状態で重なり合っている。第１列の両端に位置するおむつと第２列の両端に位置するおむつとは、胴周り部と胴周り端部とが側壁に当接している。
【特許文献１】特表平１１−５０１２７５号公報
【発明の開示】
【発明が解決しようとする課題】
【０００４】
前記特許文献１に開示の包装体は、その立体形状が直方体を呈するので、前壁をその正面から見たときの包装体の視認可能範囲と後壁をその正面から見たときの包装体の視認可能範囲とが同一となり、前壁から見たときの包装体の印象と後壁から見たときの包装体の印象とが異なることはない。この包装体は、その形状に需用者の注意を引く特徴がなく、視覚を通じて需用者に強い印象を与えることができないので、包装体の広告宣伝機能や品質表示機能等を向上させることが難しい。また、この包装体は、おむつの商品名や品質、イラスト、図柄等の所定の表示要素を前壁から両側壁にかけて一連に印刷したとしても、包装体を前壁から見たときに表示要素が前壁と両側壁とが交差する角部において欠けてしまうので、一連につながる表示要素の大きさが前壁や両側壁の大きさに限定され、前壁や側壁の大きさよりも大きい表示要素をそれら壁に印刷することができない。
【０００５】
本発明の目的は、視覚を通じて需要者に強い印象を与えることができ、広告宣伝機能や品質表示機能等を向上させることができるおむつ包装体を提供することにある。
【課題を解決するための手段】
【０００６】
前記課題を解決するための本発明の前提は、透液性表面シートおよび不透液性裏面シートの間にそれらシートよりも高剛性の吸液性コアが介在する使い捨ておむつと、複数個のおむつを包被する可撓性フィルムとから構成され、おむつが、互いに対向する第１および第２胴周り部と、それら胴周り部をつなぐ股下端部と、股下端部の反対側に位置して第１および第２胴周り部に連なる胴周り端部とを有し、コアが胴周り端部を除く第１および第２胴周り部と股下端部とに配置され、フィルムが、上下方向へ離間対向する頂底壁と、互いに対向して頂底壁間に延びる第１および第２壁と、互いに対向して頂底壁間に延びる両側壁とを形成し、それら壁に囲繞された内部に股下端部で折り曲げられたおむつの複数個が稠密に収納されたおむつ包装体である。
【０００７】
前記前提における本発明の特徴は、複数個のおむつの集団がそれらおむつの胴周り部どうしを重ね合わせた状態で両側壁間に並ぶとともに両側壁間に延びる列を形成し、それらおむつの股下端部が両側壁間に一列に並んで第２壁と向かい合い、それらおむつの胴周り端部が両側壁間に一列に並んで第１壁と向かい合い、第１壁と両側壁とが交差する角部の曲率半径が第２壁と両側壁とが交差する角部の曲率半径よりも大きく、第１壁の側から見たときの包装体の視認可能範囲が第２壁の側から見たときの包装体の視認可能範囲よりも大きいことにある。この包装体は、第１壁をその正面から見たときに、両側壁の第１壁寄りの部分が需用者の視覚に入り、需用者が包装体の外面を第１壁の正面から広範囲に見ることができる。また、この包装体は、側壁をその正面から見たときに、第１壁の側壁寄りの部分が需用者の視覚に入り、需用者が包装体の外面を側壁の正面から広範囲に見ることができる。
【０００８】
本発明は、以下の実施態様を有する。
（１）おむつ包装体では、所定の表示要素がそれら壁のうちの少なくとも第１壁と両側壁との外面に印刷されている。この態様のおむつ包装体は、需用者が第１壁に印刷された表示要素のみならず両側壁の第１壁寄りの部分に印刷された表示要素を第１壁の正面から見ることができ、需用者が側壁に印刷された表示要素のみならず第１壁の側壁寄りの部分に印刷された表示要素を側壁の正面から見ることができる。
（２）おむつ包装体では、少なくとも２つの列が互いに重なり合った状態で上下方向に並び、重なり合うそれら列では、おむつの股下端部が両側壁間に一列に並んで第２壁と向かい合い、おむつの胴周り端部が両側壁間に一列に並んで第１壁と向かい合っている。この態様のおむつ包装体は、列を形成するおむつの胴周り端部が第１壁と向かい合い、胴周り端部どうしが重なり合うことはなく、胴周り端部が不規則に折れ曲がることがない。
（３）おむつ包装体は、第１壁と両側壁とが交差する角部の曲率半径が２５〜５００ｍｍの範囲にあり、第２壁と前記両側壁とが交差する角部の曲率半径が５〜５０ｍｍの範囲にある。この態様のおむつ包装体は、第１壁から見たときの包装体の視認可能範囲が第２壁から見たときの包装体の視認可能範囲よりも確実に大きくなり、需用者が包装体の外面を第１壁の正面から広範囲に見ることができるとともに、包装体の外面を側壁の正面から広範囲に見ることができる。
（４）おむつ包装体は、それを構成するおむつの第１および第２胴周り部と股下端部との厚み寸法が胴周り端部の厚み寸法よりも大きく、おむつの第１および第２胴周り部と股下端部との剛性が胴周り端部の剛性よりも高い。この態様のおむつ包装体は、第１壁と両側壁とが交差する角部の側に位置するおむつの胴周り端部が第１壁の幅方向中央部に向かって折れ曲がり、それにともなって第１壁と両側壁とが交差する角部が確実に湾曲する。
（５）包装体では、おむつを収納する以前のフィルムの形状が円筒型を呈し、フィルムの円筒周壁に囲繞された空間におむつを収納すると、フィルムの形状が変化して円筒周壁が第１および第２壁と両側壁とを形成する。
【発明の効果】
【０００９】
本発明に係るおむつ包装体によれば、第１壁と両側壁とが交差する角部の曲率半径が第２壁と両側壁とが交差する角部の曲率半径よりも大きく、第１壁の側から見たときの包装体の視認可能範囲が第２壁の側から見たときの包装体の視認可能範囲よりも大きいので、包装体の外面を第１壁の正面から広範囲に見ることができ、包装体の外面を側壁の正面から広範囲に見ることができる。この包装体は、第１壁と両側壁とが交差する角部が第２壁と両側壁とが交差する角部よりも丸みを帯びるので、第１壁から見たときの包装体の印象と第２壁から見たときの包装体の印象とが異なり、形状が直方体を呈する従来技術の包装体と比較し、形状によって需用者の注意を引くことができ、視覚を通じて需用者に強い印象を与えることができる。この包装体は、その広告宣伝機能や品質表示機能等を向上させることができるのみならず、おむつの出所表示としても機能し、他のおむつ包装体との出所混同を防ぐことができる。
【００１０】
所定の表示要素がそれら壁のうちの少なくとも第１壁と両側壁との外面に印刷された包装体は、包装体の外面を第１壁の側や側壁の側から広範囲に見ることができるので、一連につながる表示要素を第１壁から両側壁の第１壁寄りの部分にかけて印刷したり、一連につながる表示要素を側壁から第１壁の側壁寄りの部分にかけて印刷したとしても、包装体を第１壁や側壁から見たときに表示要素が第１壁と両側壁とが交差する角部において欠けてしまうことはなく、第１壁や側壁の大きさよりも大きな表示要素をそれら壁に印刷することができる。この包装体は、従来技術の包装体と比較し、需用者に一層強い印象を与えることができ、包装体の広告宣伝機能や品質表示機能等を確実に向上させることができる。
【００１１】
少なくとも２つの列が互いに重なり合った状態で上下方向に並ぶおむつ包装体では、それら列を形成するおむつの股下端部が両側壁間に一列に並んで第２壁と向かい合い、それら列を形成するおむつの胴周り端部が両側壁間に一列に並んで第１壁と向かい合っているので、包装体の外面を第１壁の側や側壁の側から広範囲に見ることができることはもちろん、胴周り端部が上下方向に重なり合う従来技術の包装体と比較し、胴周り端部が不規則に折れ曲がることはなく、胴周り端部に不規則な多数の皺が形成されることはない。
【００１２】
第１壁と両側壁とが交差する角部の曲率半径が２５〜５００ｍｍの範囲にあり、第２壁と両側壁とが交差する角部の曲率半径が５〜５０ｍｍの範囲にある包装体では、第１壁から見たときの包装体の視認可能範囲が第２壁から見たときの包装体の視認可能範囲よりも確実に大きくなり、需用者が包装体の外面を第１壁の正面から広範囲に見ることができるとともに、包装体の外面を側壁の正面から広範囲に見ることができ、需用者の包装体に対する印象を確実に向上させることができる。
【００１３】
包装体を構成するおむつの第１および第２胴周り部と股下端部との厚み寸法が胴周り端部の厚み寸法よりも大きく、第１および第２胴周り部と股下端部との剛性が胴周り端部の剛性よりも高い包装体では、隣り合うおむつの胴周り端部どうしの間にわずかな間隙が形成され、第１壁と両側壁とが交差する角部の側に位置するそれらおむつの胴周り端部が第１壁の幅方向中央部に向かって折れ曲がるので、第１壁と両側壁とが交差する角部を確実に湾曲させることができ、第１壁と両側壁とが交差する角部の曲率半径を第２壁と両側壁とが交差する角部の曲率半径よりも確実に大きくすることができる。
【００１４】
おむつを収納する以前のフィルムの形状が円筒型を呈するおむつ包装体では、フィルムの形状が四角中空型を呈する場合と比較し、フィルムの円筒周壁に囲繞された空間におむつを収納することによってフィルムの形状が確実に変化し、フィルムの円筒周壁が第１および第２壁と両側壁とを形成しつつ、第１壁と両側壁とが交差する角部の曲率半径を第２壁と両側壁とが交差する角部の曲率半径よりも確実に大きくすることができる。
【発明を実施するための最良の形態】
【００１５】
添付の図面を参照し、本発明に係るおむつ包装体の詳細を説明すると、以下のとおりである。
【００１６】
図１，２は、頂壁１３の一部と前壁１５の一部とを破断した状態で示すおむつ包装体１０の斜視図と、おむつ１１を収納する以前の状態にあるフィルム１２の斜視図とである。図３，４は、使い捨ておむつ１１の斜視図と、包装体１０から取り出したおむつ１１の斜視図とであり、図５は、おむつ１１を図３の状態から図４の状態に折り畳む手順を示す説明図である。図１では、上下方向を矢印Ｌ、前後方向を矢印Ｍで示し、幅方向を矢印Ｎで示す。また、図３では、横方向を矢印Ｏ、縦方向を矢印Ｐで示し、厚み方向を矢印Ｑで示す。なお、表裏面シート２６，２７や防漏シート２８の内面とは、コア２９に対向する面をいい、それらシート２６，２７，２８の外面とは、コア２９に非対向の面をいう。
【００１７】
おむつ包装体１０は、複数個の使い捨ておむつ１１と、それらおむつ１１を包被する可撓性フィルム１２とから構成されている。フィルム１２は、上下方向へ離間対向する頂底壁１３，１４と、頂底壁１３，１４に連なって上下方向へ延びる前後壁１５，１６（第１および第２壁）と、頂底壁１３，１４に連なって上下方向へ延びる両側壁１７，１８と、前壁１５および両側壁１７，１８が交差する角部１９と、後壁１６および両側壁１７，１８が交差する角部２０とを形成している。包装体１０では、前後壁１５，１６が前後方向へ離間対向し、両側壁１７，１８が幅方向へ離間対向している。それら壁１３，１４，１５，１６，１７，１８に囲繞された内部には、複数個のおむつ１１が収納されている。なお、前壁１５は、特許請求の範囲における第１および第２壁のいずれか一方に相当し、後壁１６は、特許請求の範囲における第１および第２壁のいずれか他方に相当する。
【００１８】
前壁１５の外面と両側壁１７，１８の前壁１５寄りに位置する部分１７Ａ，１８Ａの外面とには、一連につながる熊の顔の図柄２１（表示要素）が印刷されている（図７参照）。後壁１６の外面と両側壁１７，１８の後壁１６寄りに位置する部分１７Ｂ，１８Ｂの外面とには、一連につながる熊の顔の図柄２１（表示要素）が印刷されている（図９，１０参照）。側壁１７，１８の外面と前壁１５の側壁１７，１８寄りに位置する部分１５Ａの外面とには、おむつの文字２２（表示要素）が印刷されている（図９，１０参照）。
【００１９】
頂壁１３には、包装体１０を手で持つときに使用する取っ手２３が形成されている。取っ手２３は、フィルム１２から作られ、頂壁１３から上方へ延びている。取っ手２３の幅方向中央部には、幅方向へ間欠的に延びる切り込み線２４が形成されている。切り込み線２４に沿ってフィルム１２を破ると、取っ手２３の中央部に手を挿入可能な開口が形成される。側壁１７には、上下方向へ間欠的に延びる切り込み線２５が形成されている。切り込み線２５に沿ってフィルム１２を破ると、包装体１０からおむつ１１を取り出すための開口が側壁１７に形成される。
【００２０】
おむつ１１は、肌当接側に位置する透液性表面シート２６と、肌非当接側に位置する不透液性裏面シート２７と、横方向へ離間対向して縦方向へ延びる一対の不透液性防漏シート２８と、表裏面シート２６，２７の間に介在してそれらシート２６，２７の内面に接合された吸液性コア２９とから形成されている。おむつ１１は、前胴周り部３０および後胴周り部３１（第１および第２胴周り部）と、前後胴周り部３０，３１をつなぐ股下端部３２と、股下端部３２の反対側に位置して前胴周り部３０に連なる胴周り前端部３３（胴周り端部）と、股下端部３２の反対側に位置して後胴周り部３１に連なる胴周り後端部３４（胴周り端部）と、前後端部３０，３１間に延びる両側部３５とを有する。おむつ１１は、その平面形状が砂時計型を呈し、着用時に前後胴周り部３０，３１を連結するオープン型のおむつである。なお、前胴周り部３０は、特許請求の範囲における第１および第２胴周り部のいずれか一方に相当し、後胴周り部３１は、特許請求の範囲における第１および第２胴周り部のいずれか他方に相当する。
【００２１】
表面シート２６は、疎水性繊維不織布３６から形成されている。裏面シート２７は、疎水性繊維不織布３７と通気不透液性プラスチックフィルム３８とをラミネートした複合シートから形成されている。防漏シート２８は、撥水処理が施された疎水性繊維不織布３９から形成されている。コア２９は、粒子状または繊維状の高吸収性ポリマーとフラッフパルプとの混合物、または、粒子状または繊維状の高吸収性ポリマーとフラッフパルプと熱可塑性合成樹脂繊維との混合物であり、所定の厚み寸法に圧縮されている。ゆえに、コア２９は、その剛性が表裏面シート２６，２７や防漏シート２８の剛性よりも高い。コア２９は、それの型崩れやポリマーの脱落を防止するため、全体がティッシュペーパー（図示せず）に包被されている。
【００２２】
コア２９は、前後胴周り部３０，３１と股下端部３２とに配置され、胴周り前後端部３３，３４と両側部３５とに存在しない。換言すれば、前後胴周り部３０，３１と股下端部３２とが表裏面シート２６，２７とコア２９とから形成され、前後端部３３，３４と両側部３５とがコア２９を除く表裏面シート２６，２７と防漏シート２８とから形成されている。ゆえに、おむつ１１は、コア２９が存在する前後胴周り部３０，３１や股下端部３２の厚み寸法がコア２９が存在しない前後端部３３，３４や両側部３５の厚み寸法よりも大きく、前後胴周り部３０，３１や股下端部３２の剛性が前後端部３３，３４や両側部３５の剛性よりも高い。
【００２３】
包装体１０から取り出されたおむつ１１は、図３に示すように、表面シート２６を内側にして対向する前胴周り部３０と後胴周り部３１とが互いに重なり合い、胴周り前端部３３と胴周り後端部３４とが互いに重なり合っている。おむつ１１を図３の状態から図４の状態に折り畳むには、図５に示すように、両側部３５を表面シート２６の外面に向かって横方向内方へ折り曲げ、さらに、矢印Ｒで示すように、前後胴周り部３０，３１を互いに対向させるようにおむつ１１を股下端部３２で縦方向へ折り曲げる。
【００２４】
図６は、図１の２−２線端面図である。図６では、前後方向を矢印Ｍで示し、幅方向を矢印Ｎで示す。包装体１０では、おむつ１１の複数個が胴周り部３０，３１どうしを互いに重ね合わせた状態で両側壁１７，１８間に並んでいる。それらおむつ１１の集団は、両側壁１７，１８間に延びる列４０を形成している。包装体１０では、それらおむつ１１の股下端部３２が両側壁１７，１８間に一列に並んで後壁１６と向かい合い、それらおむつ１１の胴周り前後端部３３，３４が両側壁１７，１８間に一列に並んで前壁１５と向かい合っている。包装体１０では、図１に示すように、第１〜第４の４つの列４０Ａ，４０Ｂ，４０Ｃ，４０Ｄが頂底壁１３，１４間に重なり合った状態で上下方向に並んでいる。包装体１０では、それら壁１３，１４，１５，１６，１７，１８に囲繞された内部に複数個のおむつ１１が稠密に収納され、おむつ１１の集団から形成されたそれら列４０Ａ，４０Ｂ，４０Ｃ，４０Ｄが頂底壁１３，１４に挟まれて上下方向へ圧縮された状態にあり、それら列４０Ａ，４０Ｂ，４０Ｃ，４０Ｄが前後壁１５，１６に挟まれて前後方向へ圧縮された状態にあるとともに、それら列４０Ａ，４０Ｂ，４０Ｃ，４０Ｄが両側壁１７，１８に挟まれて幅方向へ圧縮された状態にある。
【００２５】
第１〜第４列４０Ａ，４０Ｂ，４０Ｃ，４０Ｄでは、おむつ１１の股下端部３２が両側壁１７，１８間に一列に並んだ状態で後壁１６と向かい合い、おむつ１１の胴周り前後端部３３，３４が両側壁１７，１８間に一列に並んだ状態で前壁１５と向かい合っている。それら列４０Ａ，４０Ｂ，４０Ｃ，４０Ｄでは、おむつ１１の股下端部３２が後壁１６に当接し、おむつ１１の前後端部３３，３４が前壁１５に当接している。第１列４０Ａでは、おむつ１１の側部３５が頂壁１３に当接し、列４０Ａの両端に位置するおむつ１１の胴周り部３０，３１が側壁１７，１８に当接している。第１〜第４列４０Ａ，４０Ｂ，４０Ｃ，４０Ｄでは、第１および第２列４０Ａ，４０Ｂのおむつ１１の側部３５どうしが互いに重なり合い、第２および第３列４０Ｂ，４０Ｃのおむつ１１の側部３５どうしが互いに重なり合うとともに、第３および第４列４０Ｃ，４０Ｄのおむつ１１の側部３５どうしが互いに重なり合っている。第２および第３列４０Ｂ，４０Ｃでは、それら列４０Ｂ，４０Ｃの両端に位置するおむつ１１の胴周り部３０，３１が側壁１７，１８に当接している。第４列４０Ｄでは、おむつ１１の側部３５が底壁１４に当接し、列４０Ｄの両端に位置するおむつ１１の胴周り部３０，３１が側壁に当接している。
【００２６】
包装体１０では、図６に示すように、両側壁１７，１８間に並ぶおむつ１１の胴周り前後端部３３，３４どうしの間にわずかな間隙が形成され、両側壁１７，１８の側に位置するおむつ１１の前後端部３３，３４がそれら壁１７，１８に圧縮されることによって前壁１５の幅方向中央部に向かって折れ曲がっている。これに対し、コア２９が存在することで前後端部３３，３４よりも厚み寸法が大きくかつ剛性が高いおむつ１１の股下端部３２は、それら壁１７，１８に圧縮されたとしても、後壁１６の幅方向中央部に向かって折れ曲がることはない。包装体１０は、おむつ１１の前後端部３３，３４が折れ曲がることによって前壁１５と両側壁１７，１８とが交差する角部１９が大きく湾曲している。これに対して後壁１６と両側壁１７，１８とが交差する角部２０は、列４０Ａ，４０Ｂ，４０Ｃ，４０Ｄの両端に位置するおむつ１１の股下端部３２の湾曲形状に沿ってわずかに湾曲しているに過ぎない。ゆえに、包装体１０は、角部１９のアールが角部２０よりも大きく、角部２０のアールが角部１９よりも小さい。
【００２７】
包装体１０では、前壁１５と両側壁１７，１８とが交差する角部１９の曲率半径が後壁１６と両側壁１７，１８とが交差する角部２０の曲率半径よりも大きく、前壁１５の側から見たときの包装体１０の視認可能範囲が後壁１６の側から見たときの包装体１０の視認可能範囲よりも大きい。なお、包装体１０は、図２に示すように、おむつ１１を収納する以前のフィルム１２の形状が円筒型を呈する。包装体１０は、フィルム１２の円筒周壁４１に囲繞された空間４２におむつ１１を収納すると、フィルム１２の周壁４１が変形し、周壁４１が前後壁１５，１６と両側壁１７，１８とを形成する。包装体１０では、空間４２におむつ１１を収納した後、円筒周壁４１の上部内面を互いに固着して頂壁１３と取っ手２３とを形成し、円筒周壁４１の下部を折り畳んで固着し、底壁１４を形成する。
【００２８】
次に、図３を参照しつつ、おむつ１１の他の構成の詳細を説明すると、以下のとおりである。防漏シート２８は、表面シート２６の外面の側であっておむつ１１の両側部３５に配置されている。防漏シート２８は、両側部３５に固着されて縦方向へ延びる固定側部４３と、固定側部４３に並行して縦方向へ延びていて表面シート２６の上方へ起立性向を有する自由部４４と、おむつ１１の横方向内方へ倒伏して胴周り前後端部３３，３４に固着された固定両端部４５とから形成されている。固定側部４３と自由部４４とは、おむつ１１の胴周り前後端部３３，３４間に延びている。自由部４４の上方には、縦方向へ延びる伸縮性弾性部材４６が収縮可能に取り付けられている。弾性部材４６は、縦方向へ所定の倍率に伸長された状態で自由部４４に固着されている。防漏シート２８では、弾性部材４６の収縮力によって自由部４４が縦方向へ収縮し、自由部４４が表面シート２６の上方へ起立して排泄物に対する障壁を形成する。
【００２９】
胴周り前後端部３３，３４は、コア２９の端縁４７から縦方向外方へ延びる表裏面シート２６，２７の端部４９，５０と防漏シート２８の固定両端部４５とから形成されている。前後端部３３，３４では、表裏面シート２６，２７の端部４９，５０と防漏シート２８の端部４５とが重なり合い、表裏面シート２６，２７の内面どうしが固着され、表面シート２６の外面と防漏シート２８の内面とが固着されている。両側部３５は、コア２９の側縁４８から横方向外方へ延びる表裏面シート２６，２７の側部５１，５２と防漏シート２８の固定側部４３とから形成されている。両側部３５では、表面シート２６の側部５１がコア２９の側縁４８から横方向外方へわずかに延び、側部５１からさらに横方向外方へ裏面シート２７の側部５２と防漏シート２８の側部４３とが延びている。両側部３５では、表裏面シート２６，２７の側部５１，５２と防漏シート２８の側部４３とが重なり合い、表裏面シート２６，２７の内面どうしが固着され、表裏面シート２６，２７の内外面と防漏シート２８の内面とが固着されている。両側部３５には、コア２９の側縁４８の横方向外方に位置して縦方向へ延びる複数条の脚周り用弾性部材５３が収縮可能に取り付けられている。脚周り用弾性部材５３は、表面シート２６の側部５１と裏面シート２７の側部５２との間に介在し、縦方向へ所定の倍率に伸長させた状態でそれらシート２６，２７の内面に固着されている。
【００３０】
後胴周り部３１の両側部３５には、プラスチックフィルムから形成された可撓性のテープファスナ５４が取り付けられている。テープファスナ５４は、横方向へ延びる固定端部（図示せず）と自由端部５５とを有する。固定端部は、裏面シート２７の側部５２と防漏シート２８の固定側部４３との間に介在し、それらシート２７，２８の内面に固着されている。自由端部５５の内面には、粘着剤（図示せず）が塗布されている。自由端部５５は、おむつ１１の横方向内方へ向かって折曲され、粘着剤を介して両側部３５に着脱可能に仮止めされている。前胴周り部３０には、テープファスナ５５の自由端部５５を着脱可能に止着する可撓性のターゲットテープ５６が取り付けられている。ターゲットテープ５６は、横方向へ長い矩形を呈し、プラスチックフィルムから形成されている。ターゲットテープ５６は、裏面シート２７の外面に固着されている。
【００３１】
図７，８は、前壁１５の正面から見た包装体１０の斜視図と、後壁１６の正面から見た包装体１０の斜視図とであり、図９，１０は、側壁１７の正面から見た包装体１０の斜視図と、側壁１８の正面から見た包装体１０の斜視図とである。包装体１０は、角部１９の曲率半径が角部２０のそれよりも大きく、前壁１５をその正面から見たときの包装体１０の視認可能範囲が後壁１６をその正面から見たときの包装体１０の視認可能範囲よりも大きいので、両側壁１７，１８の前壁１５寄りに位置する部分１７Ａ，１８Ａを前壁１５の正面から見ることができ、包装体１０の外面を前壁１５の正面から広範囲に見ることができる。包装体１０は、側壁１７，１８をその正面から見たときの前壁１５の視認可能範囲が後壁１６の視認可能範囲よりも大きく、前壁１５の側壁１７，１８寄りに位置する部分１５Ａを側壁１７，１８の正面から見ることができ、包装体１０の外面を側壁１７，１８の正面から広範囲に見ることができる。
【００３２】
この包装体１０は、前壁１５と両側壁１７，１８とが交差する角部１９が後壁１６と両側壁１７，１８とが交差する角部２０よりも丸みを帯びるので、前壁１５の側から見たときの包装体１０の印象と後壁１６の側から見たときの包装体１０の印象とが異なり、包装体１０の形状が直方体を呈する場合と比較し、形状によって需用者の注意を引くことができ、視覚を通じて需用者に強い印象を与えることができる。この包装体１０は、その広告宣伝機能や品質表示機能等を向上させることができるのみならず、おむつ１１の出所表示としても機能し、他のおむつ包装体との出所混同を防ぐことができる。
【００３３】
包装体１０は、それを前壁１５の正面から見ると、図７に示すように、熊の顔の図柄２１全体を見ることができる。これに対し、包装体１０を後壁１５の正面から見ると、図８に示すように、角部２０において熊の顔の図柄２１の両側が欠け、熊の顔の全体を見ることができない。包装体１０は、それを側壁１７，１８の正面から見ると、おむつの文字２２全体を見ることができる。包装体１０は、その外面を前壁１５の側や側壁１７，１８の側から広範囲に見ることができるので、一連につながる表示要素２１，２２を前壁１５から両側壁１７，１８の前壁１５寄りの部分１７Ａ，１８Ａにかけて印刷したり、一連につながる表示要素２１，２２を側壁１７，１８から前壁１５の側壁１７，１８寄りの部分１５Ａにかけて印刷したとしても、包装体１０を前壁１５や側壁１７，１８から見たときに表示要素２１，２２が角部１９において欠けてしまうことはなく、前壁１５や側壁１７，１８の大きさよりも大きな表示要素２１，２２をそれら壁１５，１７，１８に印刷することができる。
【００３４】
包装体１０では、第１〜第４列４０Ａ，４０Ｂ，４０Ｃ，４０Ｄを形成するおむつ１１の胴周り前後端部３３，３４が両側壁１７，１８間に一列に並んで前壁１５と向かい合っているので、それら列４０Ａ，４０Ｂ，４０Ｃ，４０Ｄにおいておむつ１１の前後端部３３，３４が上下方向に重なり合う場合と比較し、前後端部３３，３４が不規則に折れ曲がることはなく、前後端部３３，３４に不規則な多数の皺が形成されることはない。包装体１０では、それら列４０Ａ，４０Ｂ，４０Ｃ，４０Ｄにおいておむつ１１の側部３５どうしが上下方向に重なり合っているが、両側部３５の大部分がおむつ１１の横方向内方へ折り畳まれているので、側部３５が不規則に折れ曲がることはなく、側部３５に不規則な多数の皺が形成されることはない。
【００３５】
包装体１０では、前壁１５と両側壁１７，１８とが交差する角部１９の曲率半径が２５〜５００ｍｍの範囲にあり、後壁１６と両側壁１７，１８とが交差する角部２０の曲率半径が５〜５０ｍｍの範囲にある。ただし、角部１９の曲率半径は、５０〜５００ｍｍの範囲にあることが好ましく、角部１９の曲率半径と角部２０の曲率半径との差（角部１９の曲率半径−角部２０の曲率半径）は、２０ｍｍ以上であることが好ましい。角部１９の曲率半径が２５ｍｍ未満では、前壁１５の側から見たときの包装体１０の視認可能範囲が小さくなり、包装体１０の外面を前壁１５の正面から広範囲に見ることや包装体１０の外面を側壁１７，１８の正面から広範囲に見ることができない。また、表示要素２１，２２を前壁１５から両側壁１７，１８にかけて一連に印刷したり、表示要素２１，２２を側壁１７，１８から前壁１５にかけて一連に印刷したときに、表示要素２１，２２が角部１９において欠けてしまう場合があり、表示要素２１，２２の全体を見ることができない場合がある。
【００３６】
包装体１０では、おむつ１１の集団から４つ未満の列が形成されていてもよく、おむつ１１の集団から４つを超過する列が形成されていてもよい。包装体１０では、図６に示すように、列４０Ａ，４０Ｂ，４０Ｃ，４０Ｄを形成するおむつ１１の個数が１４個であるが、おむつ１１の個数を図示に限定するものではなく、列４０Ａ，４０Ｂ，４０Ｃ，４０Ｄを形成するおむつ１１の個数を図示よりも多くしたり少なくすることができる。ただし、列４０Ａ，４０Ｂ，４０Ｃ，４０Ｄを形成するおむつ１１の個数は、８個以上であることが好ましい。
【００３７】
包装体１０は、それを構成するおむつ１１がオープン型であるが、おむつがパンツ型であってもよい。パンツ型のおむつは、前後胴周り部の両側部があらかじめ連結され、胴周り開口と一対の脚周り開口とを有する。パンツ型のおむつは、前後胴周り部の両側部をそれら胴周り部のいずれか一方の外面に向かって折り曲げた状態で、おむつの複数個をそれら壁１３，１４，１５，１６，１７，１８に囲繞された内部に収納する。
【００３８】
表示要素は、図示の熊の顔の図柄２１やおむつの文字２２に限らず、他の図柄や他の文字、記号、模様、色彩等またはそれらを組み合わせたものでもよい。図柄や文字、記号、模様には、有彩色のみならず無彩色のものも含まれる。図柄には、全ての形状が含まれ、人物や風景、動物等を題材にした純粋美術のみならず応用美術も含まれる。文字には、象形文字や飾り文字、花文字等の全ての字体が含まれる。
【００３９】
包装体１０を構成するフィルム１２は、熱可塑性合成樹脂を延伸したプラスチックフィルムから形成されている。合成樹脂には、ポリエステル系合成樹脂、ポリアクリロニトリル系合成樹脂、ポリ塩化ビニル系合成樹脂、ポリエチレン系合成樹脂、ポリプロピレン系合成樹脂、ポリスチレン系合成樹脂を使用することができる。フィルム１２の固着には、ヒートシールやソニックシール等の熱による溶着手段を利用することができる。
【００４０】
表面シート２６には、親水性繊維不織布の他に、多数の開孔を有する疎水性繊維不織布、微細な多数の開孔を有するプラスチックフィルムのいずれかを使用することもできる。裏面シート２７には、疎水性繊維不織布、通気不透液性プラスチックフィルム、２枚以上の疎水性繊維不織布をラミネートした複合不織布のいずれかを使用することもできる。裏面シート２７や防漏シート２８には、高い耐水性を有するメルトブローン不織布の両面または片面に高い強度と良好な柔軟性とを有するスパンボンド不織布を重ね合わせた複合不織布（ＳＭ不織布、ＳＭＳ不織布、ＳＭＭＳ不織布）を使用することもできる。
【００４１】
繊維不織布には、スパンレース、ニードルパンチ、メルトブローン、サーマルボンド、スパンボンド、ケミカルボンドの各製法により製造された不織布を使用することができる。不織布の構成繊維には、ポリエステル系、ポリアクリロニトリル系、ポリ塩化ビニル系、ポリエチレン系、ポリプロピレン系、ポリスチレン系を使用することができる。構成繊維には、芯鞘型複合繊維、並列型複合繊維、異型中空繊維、微多孔繊維、接合型複合繊維を使用することもできる。
【００４２】
表裏面シート２６，２７どうしの固着、シート２６，２７に対する防漏シート２８の固着、シート２６，２７に対するコア２９の接合、シート２６，２７，２８に対する弾性部材４６，５３の固着には、接着剤、または、ヒートシールやソニックシール等の熱による溶着手段を利用することができる。接着剤には、ホットメルト型接着剤やアクリル系接着剤、ゴム系接着剤を使用することができる。
【図面の簡単な説明】
【００４３】
【図１】おむつ包装体の斜視図。
【図２】おむつを収納する以前の状態にあるフィルムの斜視図。
【図３】使い捨ておむつの斜視図。
【図４】包装体から取り出したおむつの斜視図。
【図５】おむつを図３の状態から図４の状態に折り畳む手順を示す説明図。
【図６】図１の２−２線端面図。
【図７】前壁の側から見た包装体の斜視図。
【図８】後壁の側から見た包装体の斜視図。
【図９】側壁の側から見た包装体の斜視図。
【図１０】側壁の側から見た包装体の斜視図。
【符号の説明】
【００４４】
１０    おむつ包装体
１１    使い捨ておむつ
１２    フィルム
１３    頂壁
１４    底壁
１５    前壁
１６    後壁
１７    側壁
１８    側壁
１９    角部
２０    角部
２１    図柄（表示要素）
２２    文字（表示要素）
２６    透液性表面シート
２７    不透液性裏面シート
２８    不透液性防漏シート
２９    吸液性コア
３０    前胴周り部
３１    後胴周り部
３２    股下端部
３３    胴周り前端部（胴周り端部）
３４    胴周り後端部（胴周り端部）
４０    列
４０Ａ    第１列
４０Ｂ    第２列
４０Ｃ    第３列
４０Ｄ    第４列
４１    円筒周壁
４２    空間
【図１】
2005178827.tif 000003
【図２】
2005178827.tif 000004
【図３】
2005178827.tif 000005
【図４】
2005178827.tif 000006
【図５】
2005178827.tif 000007
【図６】
2005178827.tif 000008
【図７】
2005178827.tif 000009
【図８】
2005178827.tif 000010
【図９】
2005178827.tif 000011
【図１０】
2005178827.tif 000012